(57)【要約】【課題】２つの電気光学パネルを組み合わせた電気光学装置において、上層の電気光学パネルの表示異常が発生した場合であっても下層の電気光学パネルに表示された画像が視認可能である電気光学装置等を提供すること。【解決手段】電気光学装置３００は、セグメント型の第１電気光学パネル２０１と、第１電気光学パネル２０１を駆動する第１表示ドライバー１０１と、第１電気光学パネル２０１の平面視において第１電気光学パネル２０１に重なって配置されるマトリックス型の第２電気光学パネル２０２と、第２電気光学パネル２０２を駆動することで第２電気光学パネル２０２に画像を表示させる第２表示ドライバー１０２と、を含む。第１電気光学パネル２０１は、画像の視認側に配設される。第２表示ドライバー１０２は、第１電気光学パネル２０１のセグメント電極に駆動電圧を出力する。【選択図】      図３
2020118924.tif 000002
【特許請求の範囲】
【請求項１】
セグメント型の第１電気光学パネルと、
前記第１電気光学パネルを駆動する第１表示ドライバーと、
前記第１電気光学パネルの平面視において、前記第１電気光学パネルに重なって配置されるマトリックス型の第２電気光学パネルと、
前記第２電気光学パネルを駆動することで、前記第２電気光学パネルに画像を表示させる第２表示ドライバーと、
を含み、
前記第１電気光学パネルは、前記画像の視認側に配設され、
前記第２表示ドライバーは、
前記第１電気光学パネルのセグメント電極に駆動電圧を出力することを特徴とする電気光学装置。
【請求項２】
請求項１に記載の電気光学装置において、
前記第１電気光学パネルは、
前記平面視において前記画像と重なる領域である透過制御用領域に、透過制御用セグメント電極を有し、
前記第２表示ドライバーは、
前記透過制御用セグメント電極に前記駆動電圧を出力することで、前記透過制御用領域の光の透過率を制御することを特徴とする電気光学装置。
【請求項３】
請求項２に記載の電気光学装置において、
前記第２表示ドライバーは、
前記透過制御用領域を光の透過状態とさせる第１駆動電圧、又は前記透過制御用領域を光の非透過状態とさせる第２駆動電圧を、前記透過制御用セグメント電極へ出力することを特徴とする電気光学装置。
【請求項４】
請求項２に記載の電気光学装置において、
前記第２表示ドライバーは、
前記透過率をグラデーション制御するための複数の駆動電圧のうち、いずれかの駆動電圧を前記透過制御用セグメント電極へ出力することを特徴とする電気光学装置。
【請求項５】
請求項１乃至４のいずれか一項に記載の電気光学装置において、
前記第１電気光学パネルは、
前記第１電気光学パネルの表示物に対応した表示用セグメント電極を有し、
前記第２表示ドライバーは、
前記第１電気光学パネルの前記表示物の表示異常が検出された場合に、前記表示物に対応する画像を前記第２電気光学パネルに表示させることを特徴とする電気光学装置。
【請求項６】
請求項５に記載の電気光学装置において、
前記表示物は、アイコンであることを特徴とする電気光学装置。
【請求項７】
請求項５に記載の表示ドライバーにおいて、
前記表示物は、警告灯又はメーター又は数字であることを特徴とする電気光学装置。
【請求項８】
請求項１乃至４のいずれか一項に記載の電気光学装置において、
前記第１電気光学パネルは、
前記第１電気光学パネルの表示物に対応した表示用セグメント電極と、
前記表示用セグメント電極と前記第１表示ドライバーとを接続する第１セグメント信号線と、
前記表示用セグメント電極と前記第２表示ドライバーとを接続する第２セグメント信号線と、
を含むことを特徴とする電気光学装置。
【請求項９】
請求項８に記載の電気光学装置において、
前記第２表示ドライバーは、
前記第１電気光学パネルの表示異常が検出された場合に、前記第２セグメント信号線を介して前記表示用セグメント電極を駆動することを特徴とする電気光学装置。
【請求項１０】
請求項８又は９に記載の電気光学装置において、
前記表示物は、アイコンであることを特徴とする電気光学装置。
【請求項１１】
請求項８又は９に記載の表示ドライバーにおいて、
前記表示物は、警告灯又はメーター又は数字であることを特徴とする電気光学装置。
【請求項１２】
請求項１乃至１１のいずれか一項に記載の電気光学装置において、
前記第１表示ドライバー及び前記第２表示ドライバーに接続される回路基板を含み、
前記回路基板は、
前記第１電気光学パネルにおいて前記セグメント電極に接続されるセグメント信号線と、前記第２表示ドライバーとを接続する信号線を含むことを特徴とする電気光学装置。
【請求項１３】
請求項１乃至１１のいずれか一項に記載の電気光学装置と、
前記第１表示ドライバーと通信を行う第１インターフェース回路と、前記第２表示ドライバーと通信を行う第２インターフェース回路と、を有する表示コントローラーと、
を含むことを特徴とする表示制御システム。
【請求項１４】
セグメント型の第１電気光学パネルに接続される第１駆動端子群と、
前記第１駆動端子群を介して前記第１電気光学パネルを駆動する第１駆動回路と、
マトリックス型の第２電気光学パネルに接続される第２駆動端子群と、
前記第２駆動端子群を介して前記第２電気光学パネルを駆動する第２駆動回路と、
を含むことを特徴とする表示ドライバー。
【請求項１５】
請求項１４に記載の表示ドライバーにおいて、
前記第１電気光学パネルは、
前記第１電気光学パネルの平面視において前記第２電気光学パネルに重なる透過制御用セグメント電極を有し、
前記第１駆動回路は、
前記透過制御用セグメント電極に前記駆動電圧を出力することで、前記第２電気光学パネルの表示画像が前記第１電気光学パネルを透過する際の透過率を制御することを特徴とする表示ドライバー。
【請求項１６】
請求項１４に記載の表示ドライバーにおいて、
前記第１電気光学パネルは、
前記第１電気光学パネルの表示物に対応した表示用セグメント電極を有し、
前記第２駆動回路は、
前記第１電気光学パネルの表示異常が検出された場合に、前記表示物に対応する画像を前記第２電気光学パネルに表示させることを特徴とする表示ドライバー。
【請求項１７】
請求項１乃至１２のいずれか一項に記載の電気光学装置を含むことを特徴とする電子機器。
【請求項１８】
請求項１乃至１２のいずれか一項に記載の電気光学装置を含むことを特徴とする移動体。
【発明の詳細な説明】
【技術分野】
【０００１】
本発明は、電気光学装置、表示制御システム、表示ドライバー、電子機器及び移動体等に関する。
【背景技術】
【０００２】
従来より、多層の液晶パネルを備えた表示装置が知られている。例えば特許文献１には、上層及び下層の２層からなる液晶パネルを備えた電子機器が開示されている。特許文献１の電子機器は、上層液晶パネルを駆動する上層液晶表示回路と、下層液晶パネルを駆動する下層液晶表示回路と、を含む。上層液晶表示回路が上層液晶パネルに情報を表示するとき、下層液晶表示回路は下層液晶パネルのセグメントを全て表示オフにし、下層液晶表示回路が下層液晶パネルに情報を表示するとき、上層液晶表示回路は上層液晶パネルのセグメントを全て透過状態にする。
【先行技術文献】
【特許文献】
【０００３】
【特許文献１】国際公開第００／３６５８２号
【発明の概要】
【発明が解決しようとする課題】
【０００４】
上記特許文献１において、各々の液晶パネルは独立して駆動制御されている。即ち、２層の液晶パネルのうち一方の液晶パネルを駆動する表示回路は、他方の液晶パネルを駆動しない。このような構成では、上層液晶表示回路の異常によって上層液晶パネルの表示を透過状態にできなくなると、下層液晶パネルに表示された情報が上層液晶パネルによって遮られてしまうため、下層液晶パネルに表示された情報が不可視となるという課題がある。
【課題を解決するための手段】
【０００５】
本発明の一態様は、セグメント型の第１電気光学パネルと、前記第１電気光学パネルを駆動する第１表示ドライバーと、前記第１電気光学パネルの平面視において、前記第１電気光学パネルに重なって配置されるマトリックス型の第２電気光学パネルと、前記第２電気光学パネルを駆動することで、前記第２電気光学パネルに画像を表示させる第２表示ドライバーと、を含み、前記第１電気光学パネルは、前記画像の視認側に配設され、前記第２表示ドライバーは、前記第１電気光学パネルのセグメント電極に駆動電圧を出力する電気光学装置に関係する。
【図面の簡単な説明】
【０００６】
【図１】本実施形態における電気光学装置の構成例。
【図２】第１電気光学パネルの第１詳細構成例。
【図３】表示制御システムの構成例。
【図４】電気光学装置を車載クラスターパネルに適用した場合における、第１電気光学パネルの詳細構成例。
【図５】第２表示ドライバーの詳細構成例。
【図６】第１駆動回路の詳細構成例。
【図７】スイッチの動作を説明する波形図。
【図８】第１電気光学パネルの第２詳細構成例。
【図９】第１表示ドライバーの詳細構成例。
【図１０】表示用セグメント電極が正常に駆動されている場合の信号波形例。
【図１１】セグメント端子と表示用セグメント電極の間がオープン状態になった場合の信号波形例。
【図１２】電子機器の構成例。
【図１３】移動体の例。
【発明を実施するための形態】
【０００７】
以下、本開示の好適な実施の形態について詳細に説明する。なお以下に説明する本実施形態は特許請求の範囲に記載された本開示の内容を不当に限定するものではなく、本実施形態で説明される構成の全てが本開示の解決手段として必須であるとは限らない。
【０００８】
１．電気光学装置
図１は、本実施形態における電気光学装置３００の構成例である。電気光学装置３００は、第１パネルモジュール３０１と第２パネルモジュール３０２と回路基板３０３とを含む。
【０００９】
第１パネルモジュール３０１は、セグメント型の液晶パネルである第１電気光学パネル２０１と、第１電気光学パネル２０１を駆動する第１表示ドライバー１０１と、第１フレキシブル基板ＦＣ１と、を含む。
【００１０】
第１電気光学パネル２０１は、透過制御用セグメント電極ＥＳＨＴを含む。また第１電気光学パネル２０１は、種々の表示物を表示するための１以上の表示用セグメント電極を更に含むことができる。
【００１１】
第１表示ドライバー１０１は、第１電気光学パネル２０１のガラス基板上に実装される。第１表示ドライバー１０１は、セグメント信号線により各セグメント電極に接続されており、そのセグメント信号線にセグメント駆動電圧を出力することでセグメント電極を駆動する。図２で後述するように、透過制御用セグメント電極ＥＳＨＴは第１表示ドライバー１０１に接続されない。なお図１では第１表示ドライバー１０１を１つのＩＣで図示しているが、第１表示ドライバー１０１が複数のＩＣで構成されていてもよい。
【００１２】
第１フレキシブル基板ＦＣ１の一端は、第１電気光学パネル２０１のガラス基板に接続される。具体的には、第１フレキシブル基板ＦＣ１は、表示コントローラーからの表示データ等を伝送するための通信用信号線と、透過制御用セグメント電極ＥＳＨＴの駆動電圧を伝送するための駆動用信号線と、を含む。通信用信号線は、第１電気光学パネル２０１のガラス基板上に設けられたインターフェース信号線の一端に接続される。インターフェース信号線の他端は第１表示ドライバー１０１に接続されている。駆動用信号線は、第１電気光学パネル２０１のガラス基板上に設けられた透過制御用セグメント信号線の一端に接続される。透過制御用セグメント信号線の他端は、透過制御用セグメント電極ＥＳＨＴに接続されている。
【００１３】
第２パネルモジュール３０２は、マトリックス型の第２電気光学パネル２０２と、第２電気光学パネル２０２を駆動する第２表示ドライバー１０２と、第２フレキシブル基板ＦＣ２と、を含む。
【００１４】
第２電気光学パネル２０２は、ＴＦＴ（Thin Film Transistor）液晶パネル等のアクティブマトリックス型液晶パネルである。或いは、第２電気光学パネル２０２は、ＥＬ（Electro Luminescence）表示パネル等の自発光型表示パネルであってもよい。第２電気光学パネル２０２は、複数の画素がマトリックス配置された画素アレイＰＡＲＹを含む。以下、第２電気光学パネル２０２において画素アレイＰＡＲＹが配置された領域を、表示領域と呼ぶ。なお、画素アレイＰＡＲＹが、画像表示に用いられない非有効画素を含む場合、画像表示に用いられる有効画素が配置された領域を表示領域と呼ぶこととする。
【００１５】
第２表示ドライバー１０２は、第２電気光学パネル２０２のガラス基板上に実装される。第２表示ドライバー１０２は、第２電気光学パネル２０２のガラス基板上に設けられた信号線により画素アレイＰＡＲＹに接続されており、その信号線にデータ線駆動信号及び走査線駆動信号を出力することで画素アレイＰＡＲＹに画像を表示させる。
【００１６】
第２フレキシブル基板ＦＣ２の一端は、第２電気光学パネル２０２のガラス基板に接続される。具体的には、第２フレキシブル基板ＦＣ２は、表示コントローラーからの表示データ等を伝送するための通信用信号線と、透過制御用セグメント電極ＥＳＨＴの駆動電圧を伝送するための駆動用信号線と、を含む。通信用信号線は、第２電気光学パネル２０２のガラス基板上に設けられたインターフェース信号線の一端に接続される。駆動用信号線は、第２電気光学パネル２０２のガラス基板上に設けられた透過制御用セグメント信号線の一端に接続される。インターフェース信号線及び透過制御用セグメント信号線の他端は第２表示ドライバー１０２に接続されている。
【００１７】
回路基板３０３は、基板ＫＢと、基板ＫＢに設けられた第１コネクターＣＮＣ１と、基板ＫＢに設けられた第２コネクターＣＮＣ２と、を含む。基板ＫＢは例えばプリント基板等である。
【００１８】
第１コネクターＣＮＣ１は、第１フレキシブル基板ＦＣ１の他端に接続される。第２コネクターＣＮＣ２は、第２フレキシブル基板ＦＣ２の他端に接続される。なお図１では、コネクターとフレキシブル基板が接続されていない状態を図示しているが、実際にはコネクターとフレキシブル基板が接続される。第１フレキシブル基板ＦＣ１の駆動用信号線と、第２フレキシブル基板ＦＣ２の駆動用信号線は、第１コネクターＣＮＣ１及び第２コネクターＣＮＣ２を介して基板ＫＢ上の信号線で接続されている。
【００１９】
図１に示すように、第１電気光学パネル２０１に対する平面視方向をＤＺとする。また、方向ＤＺに直交する方向をＤＸ及びＤＹとする。方向ＤＸと方向ＤＹは互いに直交する。また以下では、第１電気光学パネル２０１において透過制御用セグメント電極ＥＳＨＴが配置された領域を、透過制御用領域と呼ぶ。
【００２０】
第１電気光学パネル２０１は、方向ＤＸ及び方向ＤＹによる平面に対して平行に配置されている。同様に第２電気光学パネル２０２は、方向ＤＸ及び方向ＤＹによる平面に対して平行に配置されている。第２電気光学パネル２０２は、第１電気光学パネル２０１に対して方向ＤＺに配置される。そして、第２電気光学パネル２０２の表示画像の光が第１電気光学パネル２０１の透過制御用領域を透過することで、第２電気光学パネル２０２の表示画像がユーザーにより視認されるようになっている。即ち、第１電気光学パネル２０１は、第２電気光学パネル２０２に表示される画像の視認側に配設される。なお、図１において第１電気光学パネル２０１と第２電気光学パネル２０２を離して図示しているが、実際には第１電気光学パネル２０１と第２電気光学パネル２０２は方向ＤＺにおいて隣り合って配置される。
【００２１】
第１電気光学パネル２０１の透過制御用セグメント電極ＥＳＨＴは例えば矩形であり、その２辺は方向ＤＸに平行であり、残りの２辺は方向ＤＹに平行である。例えば方向ＤＸは画素アレイＰＡＲＹの水平走査方向に対応し、方向ＤＹは画素アレイＰＡＲＹの垂直走査方向に対応する。透過制御用セグメント電極ＥＳＨＴは、平面視において第２電気光学パネル２０２の表示領域に重なっている。例えば、透過制御用セグメント電極ＥＳＨＴのサイズは画素アレイＰＡＲＹの表示領域と同サイズとなっており、方向ＤＺに沿って平面視したとき、透過制御用セグメント電極ＥＳＨＴと表示領域とが一致するように、第１電気光学パネル２０１と第２電気光学パネル２０２が配置されている。
【００２２】
図２に、第１電気光学パネル２０１の第１詳細構成例を示す。なお図２に示すセグメント電極の形状及び配置は一例であり、セグメント電極の形状及び配置は図２に限定されない。また図２では、コモン電極と、コモン電極に接続されるコモン信号線の図示を省略している。
【００２３】
図２に示すように、第１電気光学パネル２０１は、表示用セグメント電極ＥＳＤ１、ＥＳＤ２と、透過制御用セグメント電極ＥＳＨＴと、セグメント信号線ＬＳ１、ＬＳ２と、透過制御用セグメント信号線ＬＳＨＴと、インターフェース信号線ＬＩ１〜ＬＩ４と、を含む。セグメント信号線ＬＳ１、ＬＳ２は、表示用セグメント電極ＥＳＤ１、ＥＳＤ２に接続される。透過制御用セグメント信号線ＬＳＨＴは、透過制御用セグメント電極ＥＳＨＴに接続される。
【００２４】
セグメント電極及びセグメント信号線は、ガラス基板上に設けられた透明導電膜である。透明導電膜は、例えばＩＴＯ（Indium Tin Oxide）である。この透明導電膜のうち、コモン電極に対して液晶を挟んで向かい合う部分がセグメント電極であり、そのセグメント電極に対してセグメント駆動信号を供給する部分がセグメント信号線である。例えば、表示用セグメント電極ＥＳＤ１とセグメント信号線ＬＳ１は一体の透明導電膜で形成されている。このうち、コモン電極に向かい合う部分が表示用セグメント電極ＥＳＤ１である。インターフェース信号線も同様に、ガラス基板上に設けられた透明導電膜である。
【００２５】
第１表示ドライバー１０１は、セグメント端子ＴＳ１、ＴＳ２と、インターフェース端子ＴＩ１〜ＴＩ４と、を含む。セグメント端子ＴＳ１、ＴＳ２は、セグメント信号線ＬＳ１、ＬＳ２に接続される。インターフェース端子ＴＩ１〜ＴＩ４は、インターフェース信号線ＬＩ１〜ＬＩ４の一端に接続される。インターフェース信号線ＬＩ１〜ＬＩ４の他端には、第１フレキシブル基板ＦＣ１が接続される。また第１フレキシブル基板ＦＣ１には、透過制御用セグメント信号線ＬＳＨＴが接続される。
【００２６】
図１の第２表示ドライバー１０２は、第１フレキシブル基板ＦＣ１及び第２フレキシブル基板ＦＣ２の駆動用信号線と回路基板３０３の信号線とを介して、透過制御用セグメント信号線ＬＳＨＴに駆動電圧を出力する。これにより、透過制御用セグメント電極ＥＳＨＴに駆動電圧が印加され、透過制御用セグメント電極ＥＳＨＴが配置された透過制御用領域における液晶の光の透過率が制御される。例えば第２表示ドライバー１０２は、透過状態又は非透過状態の２状態を切り替える。即ち、第２表示ドライバー１０２は、透過制御用領域を透過状態とさせる第１駆動電圧、又は透過制御用領域を非透過状態とさせる第２駆動電圧を、透過制御用セグメント電極ＥＳＨＴへ出力する。或いは、第２表示ドライバー１０２は、透過率を複数階調値に制御するグラデーション制御を行ってもよい。即ち、第２表示ドライバー１０２は、透過率をグラデーション制御するための複数の駆動電圧のうち、いずれかの駆動電圧を透過制御用セグメント電極ＥＳＨＴへ出力してもよい。
【００２７】
なお、透過制御用領域の透過状態とは、透過制御用領域の液晶が光を透過する状態のことであり、それによって第２電気光学パネル２０２の表示画像が視認可能となった状態のことである。但し透過状態は、光の透過率が１００％である場合のみを意味するのではなく、第２電気光学パネル２０２の表示画像が視認可能であれば、光の透過率は任意であってよい。また、透過制御用領域の非透過状態とは、透過制御用領域の液晶が光を遮断する状態のことであり、それによって第２電気光学パネル２０２の表示画像が視認不可となった状態のことである。但し非透過状態は、光の透過率が０％である場合のみを意味するのではなく、表示画像の視認性によって光の透過率に多少の範囲を有してもよい。
【００２８】
ここで、仮に、図１及び図２の第１表示ドライバー１０１が第１電気光学パネル２０１の透過制御用セグメント電極ＥＳＨＴを駆動する場合を考える。この場合、第１表示ドライバー１０１に異常が発生すると透過制御用領域が非透過状態となり、第２電気光学パネル２０２の表示画像が視認不可能になるおそれがある。例えば、車載用のクラスターパネルにおいて、高級感を演出するためにノーマリーブラックのセグメント型液晶パネルが採用される。第１表示ドライバー１０１が駆動不可能な状態となったとき、ノーマリーブラックのセグメント型液晶パネルに設けられた透過制御用領域は非透過状態となることが想定される。
【００２９】
この点、本実施形態では、マトリックス型の第２電気光学パネル２０２を駆動する第２表示ドライバー１０２が、第１電気光学パネル２０１の透過制御用セグメント電極ＥＳＨＴに駆動電圧を出力することで、透過制御用領域における液晶の光の透過率を制御する。ここで透過率は、第２電気光学パネル２０２の表示画像が第１電気光学パネル２０１を透過する際の透過率である。このようにすれば、第１電気光学パネル２０１を駆動する第１表示ドライバー１０１に異常が発生した場合であっても、第２表示ドライバー１０２が透過制御用セグメント電極ＥＳＨＴを駆動しているため、第２電気光学パネル２０２の表示画像が透過制御用セグメント電極ＥＳＨＴを透過して視認可能になる。
【００３０】
２．表示制御システム
図３は、電気光学装置３００を含む表示制御システム４９０の構成例である。表示制御システム４９０は、処理装置４００と表示コントローラー４１０と電気光学装置３００とを含む。
【００３１】
処理装置４００は、表示コントローラー４１０のホスト装置であり、例えばプロセッサーである。プロセッサーはＣＰＵ又はマイクロコンピューター等である。なお、処理装置４００は複数の回路部品により構成された回路装置であってもよい。例えば車載電子機器において、処理装置４００はＥＣＵ（Electronic Control Unit）であってもよい。
【００３２】
表示コントローラー４１０は、電気光学装置３００に対して電圧設定データと表示データとタイミング制御信号を出力することで、電気光学装置３００にける表示を制御する。電圧設定データは、セグメント型の第１電気光学パネル２０１の表示内容に対応したデータである。表示データは、マトリックス型の第２電気光学パネル２０２の表示内容に対応したデータである。タイミング制御信号は、第２表示ドライバー１０２へ出力される制御信号であり、例えばピクセルクロック信号及び水平同期信号、垂直同期信号等である。表示コントローラー４１０は、第１〜第３インターフェース回路４１１〜４１３と、処理回路４１５と、画像メモリー４１７と、レジスター４１８と、を含む。表示コントローラー４１０は、例えば集積回路装置である。
【００３３】
第３インターフェース回路４１３は、処理装置４００と表示コントローラー４１０の回路間通信を行う。具体的には、第３インターフェース回路４１３は、処理装置４００から電圧設定データと表示データを受信し、その電圧設定データと表示データを処理回路４１５へ出力する。また第３インターフェース回路４１３は、種々の動作設定情報を処理装置４００から受信し、その動作設定情報をレジスター４１８に書き込む。例えば、第３インターフェース回路４１３は、重要情報を指定する設定情報を処理装置４００から受信する。重要情報は、第１パネルモジュール３０１において異常が検出されたときに、第１電気光学パネル２０１に表示される内容のうちいずれを第２電気光学パネル２０２に表示させるのかを、指定する情報である。
【００３４】
処理回路４１５は、ロジック回路であり、電圧設定データに対する処理、及び表示データに対する処理、タイミング制御信号の出力処理等を行う。処理回路４１５は、ＭＣＵ４２０（Micro Control Unit）とパネル表示制御部４３０と画像処理部４４０と重要情報表示制御部４５０とを含む。
【００３５】
ＭＣＵ４２０は、第３インターフェース回路４１３からの電圧設定データに基づいて、第１電気光学パネル２０１の各セグメントに供給される駆動電圧を設定するための電圧設定データを、第１インターフェース回路４１１へ出力する。またＭＣＵ４２０は、第３インターフェース回路４１３からの電圧設定データに基づいて、透過制御用セグメント電極される駆動電圧を設定するための電圧設定データを、第２インターフェース回路４１２へ出力する。例えばＭＣＵ４２０は、電圧設定データのデータ形式を、第１表示ドライバー１０１と第２表示ドライバー１０２が受信可能なデータ形式に変換する。
【００３６】
第１インターフェース回路４１１は、ＭＣＵ４２０からの電圧設定データを第１表示ドライバー１０１へ出力する。第１インターフェース回路４１１の通信方式としては、例えばＩ２Ｃ（Inter Integrated Circuit）方式、又はＳＰＩ（Serial Peripheral Interface）方式等のシリアルインターフェース方式を採用できる。或いは通信方式としてパラレルインターフェース方式を採用してもよい。第１インターフェース回路４１１は、これらの通信方式を実現する入出力バッファー回路及び制御回路を含むことができる。
【００３７】
パネル表示制御部４３０は、ピクセルクロック信号及び水平同期信号、垂直同期信号等のタイミング制御信号を第２インターフェース回路４１２へ出力する。画像処理部４４０は、第３インターフェース回路４１３からの表示データに対して画像処理を行い、処理後の表示データを第２インターフェース回路４１２へ出力する。例えば画像処理部４４０は、表示データのデータ形式を、第２表示ドライバー１０２が受信可能なデータ形式に変換する。或いは、画像処理部４４０は、表示データに対して階調変換処理等の画像処理を行ってもよい。また画像処理部４４０は、重要情報表示制御部４５０からの指示に基づいて、第１電気光学パネル２０１の表示内容を、第２電気光学パネル２０２の表示画像にスーパーインポーズする処理を行う。
【００３８】
重要情報表示制御部４５０は、重要情報表示制御部４５０は、第１表示ドライバー１０１が駆動異常を検出したとき、第１電気光学パネル２０１の表示内容を第２電気光学パネル２０２に表示させる指示を、画像処理部４４０へ出力する。具体的には、第１インターフェース回路４１１が第１表示ドライバー１０１からエラー検出信号を受信する。エラー検出信号は、第１表示ドライバー１０１が駆動異常を検出したことを示す信号である。受信されたエラー検出信号は、ＭＣＵ４２０と第３インターフェース回路４１３を介してレジスター４１８に記憶される。重要情報表示制御部４５０は、レジスター４１８に記憶されたエラー検出信号に基づいて、第１表示ドライバー１０１が駆動異常を検出したことを判断する。
【００３９】
画像メモリー４１７は、重要情報表示用の画像データを記憶している。重要情報表示用の画像データは、第１電気光学パネル２０１に設けられた表示用セグメント電極によって表示される画像を、第２電気光学パネル２０２に表示させるための画像データである。画像メモリー４１７は例えばＲＡＭ又は不揮発性メモリー等である。第１電気光学パネル２０１には複数の表示内容が表示されるが、各表示内容に対応した画像データが画像メモリー４１７に記憶されている。重要情報表示制御部４５０は、レジスター４１８に記憶された設定情報に基づいて、複数の表示内容のうち、いずれの表示内容を第２電気光学パネル２０２に表示させるかを画像処理部４４０及び画像メモリー４１７に指示する。画像メモリー４１７は指示された表示内容に対応した画像データを画像処理部４４０へ出力する。画像処理部４４０は、画像メモリー４１７から入力された画像データに基づいてスーパーインポーズ処理を行い、処理後の表示データを第２インターフェース回路４１２へ出力する。
【００４０】
第２インターフェース回路４１２は、パネル表示制御部４３０からのタイミング制御信号と画像処理部４４０からの表示データとを第２表示ドライバー１０２へ出力する。また第２インターフェース回路４１２は、ＭＣＵ４２０からの電圧設定データを、第２表示ドライバー１０２へ出力する。第２インターフェース回路４１２の通信方式として、上記シリアルインターフェース方式又はパラレルインターフェース方式等を採用できる。第２インターフェース回路４１２は、これらの通信方式を実現する入出力バッファー回路及び制御回路を含むことができる。
【００４１】
図３の実施形態によれば、表示コントローラー４１０が第１インターフェース回路４１１と第２インターフェース回路４１２とを含むことで、表示コントローラー４１０が第１表示ドライバー１０１及び第２表示ドライバー１０２に対して表示制御できる。
【００４２】
これにより、セグメント型の第１電気光学パネル２０１とマトリックス型の第２電気光学パネル２０２を組み合わせた電気光学装置３００を、表示コントローラー４１０が制御できる。
【００４３】
また本実施形態によれば、第２表示ドライバー１０２は、第１電気光学パネル２０１の表示異常が検出された場合に、第１電気光学パネル２０１の表示物に対応する画像を第２電気光学パネル２０２に表示させる。具体的には、上述したように、第１電気光学パネル２０１の表示異常が検出されたとき、表示コントローラー４１０が、第１電気光学パネル２０１の表示物を含む表示データを第２表示ドライバー１０２へ出力し、第２表示ドライバー１０２が、その表示データに基づいて第２電気光学パネル２０２に画像を表示させる。
【００４４】
このようにすれば、第１表示ドライバー１０１の異常等によって第１電気光学パネル２０１の表示異常が発生した場合であっても、第１電気光学パネル２０１の表示物に対応する画像が第２電気光学パネル２０２に表示される。図４で後述するように、例えば車載のクラスターパネルにおいて第１電気光学パネル２０１の表示物はアイコン又はメーター表示等である。本実施形態によれば、これらの情報が第１電気光学パネル２０１に表示されなくなった場合に、その情報を第２電気光学パネル２０２に表示させることでユーザーに提示できる。透過制御用セグメント電極ＥＳＨＴには第２表示ドライバー１０２から駆動電圧が印加されているので、第１表示ドライバー１０１の異常があった場合でも、第２電気光学パネル２０２に表示されたアイコン等が、透過制御用セグメント電極ＥＳＨＴを通して視認可能である。
【００４５】
図４は、電気光学装置３００を車載クラスターパネルに適用した場合における、第１電気光学パネル２０１の詳細構成例である。なお図４では、セグメント信号線の図示、及びフレキシブル基板の図示を省略する。また図４に示す点線は符号を付すためのものであり、実際には点線は表示されない。
【００４６】
第１電気光学パネル２０１は、スピードメーターを表示するためのセグメント電極群ＳＧＭＡと、エンジン回転数メーターを表示するためのセグメント電極群ＳＧＭＢと、数字を表示するためのセグメント電極群ＳＧＮＢと、警告灯を表示するためのセグメント電極群ＳＧＩＣと、透過制御用セグメント電極ＥＳＨＴと、を含む。
【００４７】
第１表示ドライバー１０１は、上記セグメント電極群ＳＧＭＢ、ＳＧＮＢ、ＳＧＩＣの各セグメント電極に対して駆動電圧を出力することで、メーター及び数字、警告灯を表示させる。上述したように、透過制御用セグメント電極ＥＳＨＴには第２表示ドライバー１０２から駆動電圧が印加される。
【００４８】
第１電気光学パネル２０１の表示異常が発生したとき、第２表示ドライバー１０２は例えば警告灯を第２電気光学パネル２０２に表示させる。警告灯は、その警告内容に応じたアイコンになっている。なお警告灯だけでなく、第１電気光学パネル２０１には種々のアイコンが設けられてもよい。第１電気光学パネル２０１の表示異常が発生したとき、第２表示ドライバー１０２は、それらのアイコンを第２電気光学パネル２０２に表示させてもよい。
【００４９】
このようにすれば、第１電気光学パネル２０１の表示異常が発生したとき、第１電気光学パネル２０１に表示される表示物のうち特に重要と考えられる警告灯等のアイコンを、第２電気光学パネル２０２に表示させることでユーザーに提示できる。
【００５０】
或いは、第１電気光学パネル２０１の表示異常が発生したとき、第２表示ドライバー１０２は警告灯又はメーター又は数字を第２電気光学パネル２０２に表示させてもよい。第２表示ドライバー１０２は警告灯及びメーター、数字のうち２以上の表示物を第２電気光学パネル２０２に表示させることも可能である。
【００５１】
このようにすれば、第１電気光学パネル２０１の表示異常が発生したとき、警告灯及びメーター、数字のうち任意の表示物を、第２電気光学パネル２０２に表示させることでユーザーに提示できる。
【００５２】
３．第２表示ドライバー
図５は、第２表示ドライバー１０２の詳細構成例を示す。なお、ここでは第２表示ドライバー１０２が透過制御用セグメント電極ＥＳＨＴをグラデーション制御する場合を例に説明するが、第２表示ドライバー１０２は透過制御用セグメント電極ＥＳＨＴを透過状態又は非透過状態の２状態に制御してもよい。
【００５３】
第２表示ドライバー１０２は、インターフェース回路１７１、１７２と駆動電圧生成回路１７３と制御回路１７４と第１駆動回路１８１と第２駆動回路１８２と駆動端子群ＴＧＲＡ〜ＴＧＲＣとを含む。なおＴＧＲＣを第１駆動端子群とし、ＴＧＲＡとＴＧＲＢを合わせて第２駆動端子群とする。第１駆動回路１８１は階調電圧生成回路１７５と出力回路１７９とを含む。第２駆動回路１８２はデータ線ドライバー１７６と走査線ドライバー１７８とを含む。
【００５４】
インターフェース回路１７１は、表示コントローラー４１０から電圧設定データを受信する。またインターフェース回路１７１は、駆動電圧生成回路１７３が出力する電源電圧の電圧値を設定する設定データを、表示コントローラー４１０から受信する。インターフェース回路１７２は、表示コントローラー４１０から表示データとタイミング制御信号を受信する。
【００５５】
駆動電圧生成回路１７３は、インターフェース回路１７１により受信された設定データに対応した電源電圧を、データ線ドライバー１７６と走査線ドライバー１７８へ出力する。駆動電圧生成回路１７３は、第２表示ドライバー１０２の外部から供給された外部電源電圧を電圧変換するＤＣＤＣコンバーター等を含む。
【００５６】
制御回路１７４は、インターフェース回路１７２により受信された表示データを、タイミング制御信号により規定されるタイミングでデータ線ドライバー１７６へ出力する。また制御回路１７４は、水平同期信号等のタイミング制御信号を走査線ドライバー１７８へ出力する。
【００５７】
第２駆動端子群であるＴＧＲＡ、ＴＧＲＢは第２電気光学パネル２０２に接続される。第２駆動回路１８２は、第２駆動端子群を介して第２電気光学パネル２０２を駆動する。
【００５８】
具体的には、駆動端子群ＴＧＲＡは、第２電気光学パネル２０２のデータ線群に接続される。データ線ドライバー１７６は、制御回路１７４からの表示データに対応したデータ電圧を、駆動端子群ＴＧＲＡを介して第２電気光学パネル２０２のデータ線群に出力する。データ線ドライバー１７６は、表示データをＤ／Ａ変換するＤ／Ａ変換回路と、Ｄ／Ａ変換回路の出力電圧に基づいてデータ電圧を出力するアンプ回路と、を含む。
【００５９】
駆動端子群ＴＧＲＢは、第２電気光学パネル２０２の走査線群に接続される。走査線ドライバー１７８は、走査線群に含まれる走査線を順次に選択する走査線選択信号を、駆動端子群ＴＧＲＢを介して第２電気光学パネル２０２の走査線群に出力する。走査線ドライバー１７８は、水平同期信号に基づいて走査線選択信号を生成するロジック回路と、ロジック回路からの走査線選択信号をバッファリングして駆動端子群ＴＧＲＢに出力するバッファー回路と、を含む。
【００６０】
第１駆動端子群であるＴＧＲＣは第１電気光学パネル２０１に接続される。第１駆動回路１８１は、第１駆動端子群を介して第１電気光学パネル２０１を駆動する。
【００６１】
具体的には、駆動端子群ＴＧＲＣは、第１電気光学パネル２０１の透過制御用セグメント信号線及びコモン信号線に接続される。図１の構成を例にとると、第１駆動端子群は第２電気光学パネル２０２のガラス基板上に設けられた信号線群に接続されており、その信号線群は第２フレキシブル基板ＦＣ２と回路基板３０３と第１フレキシブル基板ＦＣ１とを介して第１電気光学パネル２０１の透過制御用セグメント信号線群及びコモン信号線に接続される。第２駆動回路１８２は、駆動端子群ＴＧＲＣを介して透過制御用セグメント電極及びコモン電極に駆動電圧を出力することで、透過制御用セグメント電極が設けられた透過制御用領域における液晶の光の透過率を制御する。なお、駆動端子群ＴＧＲＣは、表示用セグメント電極に駆動電圧を出力する端子を更に含んでもよい。
【００６２】
階調電圧生成回路１７５は、インターフェース回路１７１からの電圧設定データに対応した階調電圧を出力する。出力回路１７９は、階調電圧を用いてセグメント電極及びコモン電極へ駆動電圧を出力する。
【００６３】
図５の実施形態によれば、第２表示ドライバー１０２が、第１駆動端子群を介して第１電気光学パネル２０１を駆動する第１駆動回路１８１と、第２駆動端子群を介して第２電気光学パネル２０２を駆動する第２駆動回路１８２と、を含んでいる。これにより、マトリックス型の第２電気光学パネル２０２を駆動する第２表示ドライバー１０２が、セグメント型の第１電気光学パネル２０１に設けられた透過制御用セグメント電極に駆動電圧を出力できる。
【００６４】
図６は、第１駆動回路１８１の詳細構成例である。図６に示すように、階調電圧生成回路１７５は、レジスター１９１とＤ／Ａ変換回路１９２とボルテージフォロア回路１９３とを含む。出力回路１７９はスイッチＳＷ１〜ＳＷ４を含む。
【００６５】
レジスター１９１には、インターフェース回路１７１から電圧設定データが書き込まれる。電圧設定データは、３以上の階調値が指定可能なデータであり、透過及び非透過以外に中間階調を指定可能なデータである。Ｄ／Ａ変換回路１９２は、レジスター１９１に書き込まれた電圧設定データを、その電圧設定データが指定する階調値の電圧に変換する。ボルテージフォロア回路１９３は、ボルテージフォロア接続された演算増幅器ＯＰＡを含む。ボルテージフォロア回路１９３は、Ｄ／Ａ変換回路１９２の出力電圧をバッファリングすることで階調電圧を出力する。
【００６６】
スイッチＳＷ１〜ＳＷ４はアナログスイッチであり、例えばトランジスターで構成される。スイッチＳＷ１、ＳＷ２の一端は端子ＴＳＧに接続される。スイッチＳＷ１の他端はボルテージフォロア回路１９３の出力ノードに接続され、スイッチＳＷ２の他端はグランドノードに接続される。スイッチＳＷ３、ＳＷ４の一端は端子ＴＣＭに接続される。スイッチＳＷ３の他端はグランドノードに接続され、スイッチＳＷ４の他端はボルテージフォロア回路１９３の出力ノードに接続される。端子ＴＳＧ、ＴＣＭは駆動端子群ＴＧＲＣに含まれる。端子ＴＳＧは透過制御用セグメント電極に接続される端子であり、端子ＴＣＭはコモン電極に接続される端子である。
【００６７】
図７にスイッチＳＷ１〜ＳＷ４の動作を説明する波形図を示す。なお以下では、セグメント電極へ出力される駆動電圧をセグメント駆動電圧と呼び、コモン電極へ出力される駆動電圧をコモン駆動電圧と呼ぶ。出力回路１７９が端子ＴＳＧに出力するセグメント駆動電圧をＶＳＧとし、出力回路１７９が端子ＴＣＭに出力するコモン駆動電圧をＶＣＭとする。
【００６８】
第１状態では、スイッチＳＷ１、ＳＷ３がオンになり、スイッチＳＷ２、ＳＷ４がオフになる。これにより、セグメント駆動電圧ＶＳＧが階調電圧となり、コモン駆動電圧ＶＣＭがグランド電圧ＧＮＤとなる。第２状態では、スイッチＳＷ２、ＳＷ４がオンになり、スイッチＳＷ１、ＳＷ３がオフになる。これにより、セグメント駆動電圧ＶＳＧがグランド電圧ＧＮＤとなり、コモン駆動電圧ＶＣＭが階調電圧となる。図７に示すように、第１状態と第２状態は周期的に繰り返される。｜ＶＳＧ−ＶＣＭ｜は階調電圧となるので、透過制御用セグメント電極とコモン電極の間の液晶には階調電圧が印加される。上述のように階調電圧が複数の階調値をとることで、グラデーション制御が可能となっている。
【００６９】
以上の実施形態によれば、第２表示ドライバー１０２が、透過制御用セグメント電極が配置された透過制御用領域における液晶の透過率をグラデーション制御できる。これにより、マトリックス型の第２電気光学パネル２０２に表示された画像が、グラデーション制御された透過率で第１電気光学パネル２０１を透過する。例えば、車載のクラスターパネル等において、環境の明るさに応じて透過率を制御することで、第２電気光学パネル２０２の表示画像を適切な明るさでユーザーに提示できる。
【００７０】
４．異常検出を行う場合の構成例
以下、第１電気光学パネル２０１の表示異常を検出する場合における、第１電気光学パネル２０１と第１表示ドライバー１０１の構成例を説明する。
【００７１】
図８は、第１電気光学パネル２０１の第２詳細構成例である。図８では、コモン電極と、コモン電極に接続されるコモン信号線の図示を省略している。なお図２で説明した構成要素と同一の構成要素には同一の符号を付し、その構成要素についての説明を適宜に省略する。
【００７２】
第１電気光学パネル２０１は、表示用セグメント電極ＥＳＤ１、ＥＳＤ２と、透過制御用セグメント電極ＥＳＨＴと、セグメント信号線ＬＳＤ１〜ＬＳＤ４と、透過制御用セグメント信号線ＬＳＨＴ１、ＬＳＨＴ２と、インターフェース信号線ＬＩ１〜ＬＩ４と、を含む。セグメント信号線ＬＳＤ１、ＬＳＤ２は、表示用セグメント電極ＥＳＤ１に接続され、セグメント信号線ＬＳＤ３、ＬＳＤ４は、表示用セグメント電極ＥＳＤ２に接続される。透過制御用セグメント信号線ＬＳＨＴ１、ＬＳＨＴ２は、透過制御用セグメント電極ＥＳＨＴに接続される。
【００７３】
第１表示ドライバー１０１は、セグメント端子ＴＳＤ１〜ＴＳＤ４、ＴＳＨＴ１、ＴＳＨＴ２と、インターフェース端子ＴＩ１〜ＴＩ４と、を含む。セグメント端子ＴＳＤ１〜ＴＳＤ４は、セグメント信号線ＬＳＤ１〜ＬＳＤ４に接続される。セグメント端子ＴＳＨＴ１、ＴＳＨＴ２は、透過制御用セグメント信号線ＬＳＨＴ１、ＬＳＨＴ２に接続される。セグメント信号線ＬＳＤ２、ＬＳＤ４と透過制御用セグメント信号線ＬＳＨＴ２は、更に第１フレキシブル基板ＦＣ１に接続されている。そして、セグメント信号線ＬＳＤ２、ＬＳＤ４と透過制御用セグメント信号線ＬＳＨＴ２は、第１フレキシブル基板ＦＣ１と回路基板３０３と第２フレキシブル基板ＦＣ２を介して第２表示ドライバー１０２に接続されている。
【００７４】
第２表示ドライバー１０２は、第１フレキシブル基板ＦＣ１と回路基板３０３と第２フレキシブル基板ＦＣ２を介して、セグメント信号線ＬＳＤ２、ＬＳＤ４及び透過制御用セグメント信号線ＬＳＨＴ２に駆動電圧を出力できるようになっている。即ち、第２表示ドライバー１０２が表示用セグメント電極ＥＳＤ１、ＥＳＤ２と透過制御用セグメント信号線ＬＳＨＴを駆動できるようになっている。具体的には、第１表示ドライバー１０１が第１電気光学パネル２０１の表示異常を検出したとき、第２表示ドライバー１０２が表示用セグメント電極ＥＳＤ１、ＥＳＤ２と透過制御用セグメント信号線ＬＳＨＴを駆動する。
【００７５】
図９は、第１表示ドライバー１０１の詳細構成例である。第１表示ドライバー１０１は、制御回路１２０とインターフェース回路１２５とデータ記憶部１３０とセグメント駆動回路１５０とセグメント異常検出回路１６０とを含む。なお以下では図８のセグメント端子ＴＳＤ１、ＴＳＤ２に接続されるセグメント駆動回路及びセグメント異常検出回路を例に説明するが、セグメント端子ＴＳＤ３、ＴＳＤ４とセグメント端子ＴＳＨＴ１、ＴＳＨＴ２にも、それぞれ同様なセグメント駆動回路及びセグメント異常検出回路が設けられる。
【００７６】
インターフェース回路１２５は、表示コントローラー４１０からの電圧設定データを受信する。またインターフェース回路１２５は、エラー検出信号を表示コントローラー４１０へ出力する。
【００７７】
データ記憶部１３０は、インターフェース回路１２５により受信された電圧設定データを記憶する。データ記憶部１３０は例えばＲＡＭ又はレジスターである。
【００７８】
セグメント駆動回路１５０は、電圧設定データＩＳＧＤＴに基づいてセグメント信号ＳＬＡＴを出力するセグメント信号出力回路１５１と、セグメント信号ＳＬＡＴに基づいてセグメント駆動信号ＳＧＱを出力する出力回路１５５と、を含む。
【００７９】
具体的には、セグメント信号出力回路１５１は、極性反転回路１５２とラッチ回路１５３とを含む。表示用セグメント電極ＥＳＤ１に対応した液晶セルに電圧を印加するとき電圧設定データＩＳＧＤＴはハイレベルであり、液晶セルに電圧を印加しないとき電圧設定データＩＳＧＤＴはローレベルである。極性反転回路１５２は、制御回路１２０から入力される極性信号ＰＯＬに基づいて、電圧設定データＩＳＧＤＴを極性反転処理する。即ち極性反転回路１５２は、正極性のフレームにおいて、電圧設定データＩＳＧＤＴと同じ論理レベルの出力信号ＳＧＤＴを出力し、負極性のフレームにおいて、電圧設定データＩＳＧＤＴの論理レベルを反転した出力信号ＳＧＤＴを出力する。ラッチ回路１５３は、制御回路１２０から入力されたラッチパルスＬＰにより出力信号ＳＧＤＴをラッチし、セグメント信号ＳＬＡＴとして出力する。
【００８０】
出力回路１５５は、第１レベルシフター１５６と、バッファー回路１５７と、を含む。
【００８１】
第１レベルシフター１５６は、セグメント信号ＳＬＡＴのレベルシフトを行うことで、出力信号ＳＬＡＴＬＳを出力する。制御回路１２０及びデータ記憶部１３０、セグメント信号出力回路１５１は第１電源電圧で動作し、バッファー回路１５７は、第１電源電圧とは異なる第２電源電圧で動作する。即ち第１レベルシフター１５６は、第１電源電圧の信号レベルを第２電源電圧の信号レベルにレベルシフトする。例えば第２電源電圧は第１電源電圧より高い。
【００８２】
バッファー回路１５７は、第１レベルシフター１５６の出力信号ＳＬＡＴＬＳに基づいてセグメント駆動信号ＳＧＱを出力する。即ちバッファー回路１５７は、出力信号ＳＬＡＴＬＳをバッファリングすることでセグメント駆動信号ＳＧＱを出力する。回路が正常であれば、セグメント信号ＳＬＡＴとセグメント駆動信号ＳＧＱの論理レベルは同じである。
【００８３】
セグメント異常検出回路１６０は、セグメントモニター信号ＳＭＮとセグメント信号ＳＬＡＴとセグメント駆動信号ＳＧＱとを比較することで表示用セグメント電極ＥＳＤ１の駆動異常を検出する。セグメント異常検出回路１６０は、第２レベルシフター１６１と、第３レベルシフター１６２と、排他的論理和回路１６３と、論理和回路１６４と、を含む。
【００８４】
第２レベルシフター１６１は、セグメントモニター信号ＳＭＮをレベルシフトし、レベルシフト後のセグメントモニター信号ＳＭＮＬＳを排他的論理和回路１６３へ出力する。第３レベルシフター１６２は、セグメント駆動信号ＳＧＱをレベルシフトし、レベルシフト後のセグメント駆動信号ＳＧＱＬＳを排他的論理和回路１６３へ出力する。排他的論理和回路１６３と論理和回路１６４は第１電源電圧で動作する。即ち、第２レベルシフター１６１と第３レベルシフター１６２は、第２電源電圧の信号レベルを第１電源電圧の信号レベルにレベルシフトする。
【００８５】
排他的論理和回路１６３は、レベルシフト後のセグメントモニター信号ＳＭＮＬＳと、セグメント信号ＳＬＡＴと、レベルシフト後のセグメント駆動信号ＳＧＱＬＳとの排他的論理和を求め、その結果である検出信号ＳＤＥＴ１を出力する。ＳＭＮＬＳ及びＳＬＡＴ、ＳＧＱＬＳの論理レベルが一致している場合、検出信号ＳＤＥＴ１はローレベルであり、それ以外の場合には検出信号ＳＤＥＴ１はハイレベルとなる。表示用セグメント電極ＥＳＤ１が正常に駆動されている場合にはＳＭＮＬＳ及びＳＬＡＴ、ＳＧＱＬＳの論理レベルが一致する。即ち、駆動異常が検出されたときには検出信号ＳＤＥＴ１がハイレベルとなる。
【００８６】
論理和回路１６４は、検出信号ＳＤＥＴ１〜ＳＤＥＴｎの論理和を求め、その結果である検出信号ＳＤＥＴＱを制御回路１２０に出力する。ｎは２以上の整数である。ＳＤＥＴ２〜ＳＤＥＴｎは、表示用セグメント電極ＥＳＤ１以外のセグメント電極の駆動異常検出結果である。ＳＤＥＴ１〜ＳＤＥＴｎのいずれかがハイレベルのとき検出信号ＳＤＥＴＱがハイレベルとなる。制御回路１２０は、検出信号ＳＤＥＴＱがハイレベルのときインターフェース回路１２５を介して表示コントローラー４１０へエラー検出信号を出力する。
【００８７】
図１０は、表示用セグメント電極ＥＳＤ１が正常に駆動されている場合の信号波形例である。ラッチ回路１５３は、極性反転回路１５２の出力信号ＳＧＤＴをラッチパルスＬＰの立ち上がりエッジでラッチすることで、セグメント信号ＳＬＡＴを出力する。出力回路１５５は、セグメント信号ＳＬＡＴと同じ論理レベルのセグメント駆動信号ＳＧＱを出力する。駆動異常が無い場合、セグメントモニター信号ＳＭＮの論理レベルは、セグメント駆動信号ＳＧＱの論理レベルと同じである。
【００８８】
以上から、排他的論理和回路１６３に入力されるセグメント信号ＳＬＡＴと、レベルシフト後のセグメントモニター信号ＳＭＮＬＳと、レベルシフト後のセグメント駆動信号ＳＧＱＬＳは、同じ論理レベルとなる。このため排他的論理和回路１６３はローレベルの検出信号ＳＤＥＴ１を出力する。
【００８９】
ここでは検出信号ＳＤＥＴ２〜ＳＤＥＴｎはローレベルであるとする。論理和回路１６４は、検出信号ＳＤＥＴ１〜ＳＤＥＴｎの論理和であるローレベルの検出信号ＳＤＥＴＱを制御回路１２０に出力する。
【００９０】
図１１は、セグメント端子ＴＳＤ１と表示用セグメント電極ＥＳＤ１の間がオープン状態になった場合の信号波形例である。オープン状態は、セグメント端子ＴＳＤ１の接続不良、又はセグメント信号線ＬＳＤ１の断線によって発生する。図１１には、寄生容量に蓄積された電荷によって表示用セグメント電極ＥＳＤ１が電源電位となった場合の信号波形例を示す。図１１において、点線の波形は正常時の波形を示し、実線の波形は異常時の波形を示す。
【００９１】
時間ｔ１においてセグメント信号線ＬＳＤ１がオープン状態になったとすると、時間ｔ１以降において、セグメント駆動信号ＳＧＱはハイレベルに固定される。セグメント信号ＳＬＡＴがローレベルのとき、セグメント駆動信号ＳＧＱはローレベルとなるべきであるが、ショートによってセグメント駆動信号ＳＧＱはハイレベルとなる。
【００９２】
セグメント駆動信号ＳＧＱがハイレベルに固定されることで、レベルシフト後のセグメント駆動信号ＳＧＱＬＳと、セグメントモニター信号ＳＭＮと、レベルシフト後のセグメントモニター信号ＳＭＮＬＳがハイレベルとなる。このため、セグメント信号ＳＬＡＴがローレベルのとき、排他的論理和回路１６３はハイレベルの検出信号ＳＤＥＴ１を出力する。論理和回路１６４は、検出信号ＳＤＥＴ１がハイレベルのとき、ハイレベルの検出信号ＳＤＥＴＱを出力する。制御回路１２０は、ハイレベルの検出信号ＳＤＥＴＱが入力されたとき、表示異常が発生したと判断する。
【００９３】
以上の実施形態によれば、第１表示ドライバー１０１により第１電気光学パネル２０１の表示異常が検出された場合に、第２表示ドライバー１０２が、セグメント信号線ＬＳＤ２、ＬＳＤ４を介して表示用セグメント電極ＥＳＤ１、ＥＳＤ２を駆動できる。このようにすれば、第１表示ドライバー１０１が第１電気光学パネル２０１を駆動できなくなった場合であっても、第２表示ドライバー１０２が第１電気光学パネル２０１の表示用セグメント電極に駆動電圧を出力することで、第１電気光学パネル２０１の表示を継続できる。
【００９４】
また同様に、第１表示ドライバー１０１により第１電気光学パネル２０１の表示異常が検出された場合に、第２表示ドライバー１０２が、透過制御用セグメント信号線ＬＳＨＴ２を介して透過制御用セグメント電極ＥＳＨＴを駆動できる。このようにすれば、第１表示ドライバー１０１が第１電気光学パネル２０１を駆動できなくなった場合であっても、第２表示ドライバー１０２が第１電気光学パネル２０１の透過制御用セグメント電極に駆動電圧を出力することで、第２電気光学パネル２０２の表示画像を透過させることができる。
【００９５】
５．電子機器、移動体
図１２は、本実施形態の電気光学装置３００を含む電子機器６００の構成例である。本実施形態の電子機器として、電気光学装置を搭載する種々の電子機器を想定できる。例えば本実施形態の電子機器として、車載装置や、ディスプレイ、プロジェクター、テレビション装置、情報処理装置、携帯型情報端末、カーナビゲーションシステム、携帯型ゲーム端末、ＤＬＰ（Digital Light Processing）装置等を想定できる。車載装置は、例えばクラスターパネル等の車載表示装置である。クラスターパネルは、運転席の前に設けられ、メーター等が表示される表示パネルである。
【００９６】
電子機器６００は、処理装置４００、表示コントローラー４１０、電気光学装置３００、記憶部３２０、操作部３３０、通信部３４０を含む。なお、記憶部３２０は記憶装置又はメモリーである。操作部３３０は操作装置である。通信部３４０は通信装置である。
【００９７】
操作部３３０は、ユーザーからの種々の操作を受け付けるユーザーインターフェースである。例えば、ボタンやマウス、キーボード、タッチパネル等で構成される。通信部３４０は、表示データ又は制御データ等の通信を行うデータインターフェースである。例えばＵＳＢ等の有線通信インターフェースや、或は無線ＬＡＮ等の無線通信インターフェースである。記憶部３２０は、通信部３４０から入力された表示データを記憶する。或は、記憶部３２０は、処理装置４００のワーキングメモリーとして機能する。処理装置４００は、電子機器の各部の制御処理や種々のデータ処理を行う。処理装置４００は、通信部３４０が受信した表示データ、又は記憶部３２０が記憶している表示データを、表示コントローラー４１０に転送する。表示コントローラー４１０は、受信した表示データを、電気光学装置３００が受け付け可能な形式に変換し、その変換された表示データを電気光学装置３００へ出力する。電気光学装置３００は、表示コントローラー４１０から転送された表示データに基づいて画像を表示する。
【００９８】
図１３は、本実施形態の電気光学装置３００を含む移動体の構成例である。移動体は、例えばエンジンやモーター等の駆動機構、ハンドルや舵等の操舵機構、各種の電子機器を備えて、地上や空や海上を移動する機器又は装置である。本実施形態の移動体として、例えば、車、飛行機、バイク、船舶、走行ロボット、或いは歩行ロボット等の種々の移動体を想定できる。図１３は移動体の具体例としての自動車２０６を概略的に示している。自動車２０６には、電気光学装置３００と、自動車２０６の各部を制御する制御装置５１０と、が組み込まれている。制御装置５１０は、例えば車速や燃料残量、走行距離、各種装置の設定等の情報をユーザーに提示する画像を生成し、その画像を電気光学装置３００に送信して電気光学装置３００に表示させる。或いは、自動車２０６が、上述のヘッドライトを含み、制御装置５１０がヘッドライトの電気光学装置３００を制御してもよい。
【００９９】
以上に説明した電気光学装置は、セグメント型の第１電気光学パネルと、第１電気光学パネルを駆動する第１表示ドライバーと、第１電気光学パネルの平面視において第１電気光学パネルに重なって配置されるマトリックス型の第２電気光学パネルと、第２電気光学パネルを駆動することで第２電気光学パネルに画像を表示させる第２表示ドライバーと、を含む。第１電気光学パネルは、画像の視認側に配設される。第２表示ドライバーは、第１電気光学パネルのセグメント電極に駆動電圧を出力する。
【０１００】
このようにすれば、マトリックス型の第２電気光学パネルを駆動する第２表示ドライバーが、第１電気光学パネルのセグメント電極に駆動電圧を出力することで、第１電気光学パネルの少なくとも一部を駆動できる。これにより、第１電気光学パネルを駆動する第１表示ドライバーに異常が発生した場合であっても、第２表示ドライバーから第１電気光学パネルの少なくとも一部を駆動することが、可能となる。
【０１０１】
また本実施形態では、第１電気光学パネルは、平面視において画像と重なる領域である透過制御用領域に、透過制御用セグメント電極を有してもよい。第２表示ドライバーは、透過制御用セグメント電極に駆動電圧を出力することで、透過制御用領域の光の透過率を制御してもよい。
【０１０２】
このようにすれば、第１電気光学パネルを駆動する第１表示ドライバーに異常が発生した場合であっても、第２表示ドライバーが透過制御用セグメント電極に駆動電圧を出力できる。これにより、第２電気光学パネルの表示画像の光が透過制御用領域を透過するため、第２電気光学パネルの表示画像が視認可能になる。
【０１０３】
また本実施形態では、第２表示ドライバーは、透過制御用領域を光の透過状態とさせる第１駆動電圧、又は透過制御用領域を光の非透過状態とさせる第２駆動電圧を、透過制御用セグメント電極へ出力してもよい。
【０１０４】
このようにすれば、第２表示ドライバーが、透過制御用セグメント電極が配置された透過制御用領域の液晶を、透過状態又は非透過状態の２状態に制御できる。
【０１０５】
また本実施形態では、第２表示ドライバーは、透過率をグラデーション制御するための複数の駆動電圧のうち、いずれかの駆動電圧を透過制御用セグメント電極へ出力してもよい。
【０１０６】
このようにすれば、第２表示ドライバーが、透過制御用セグメント電極が配置された領域における液晶の光の透過率を、グラデーション制御できる。第２電気光学パネルの表示画像の光が透過制御用領域を透過する際の透過率がグラデーション制御されることで、第２電気光学パネルの表示画像の明るさを、任意に変更できるようになる。
【０１０７】
また本実施形態では、第１電気光学パネルは、第１電気光学パネルの表示物に対応した表示用セグメント電極を有してもよい。第２表示ドライバーは、第１電気光学パネルの表示物の表示異常が検出された場合に、表示物に対応する画像を第２電気光学パネルに表示させてもよい。
【０１０８】
このようにすれば、第１電気光学パネルの表示異常が発生したことで第１電気光学パネルの表示物が表示されなくなったときに、第１電気光学パネルの表示物に対応する画像を第２表示ドライバーが第２電気光学パネルに表示させることができる。
【０１０９】
また本実施形態では、表示物は、アイコンであってもよい。
【０１１０】
このようにすれば、第１電気光学パネルの表示異常が発生したことで第１電気光学パネルのアイコンが表示されなくなったときに、第１電気光学パネルのアイコンに対応する画像を第２表示ドライバーが第２電気光学パネルに表示させることができる。
【０１１１】
また本実施形態では、表示物は、警告灯又はメーター又は数字であってもよい。
【０１１２】
このようにすれば、第１電気光学パネルの表示異常が発生したことで第１電気光学パネルの警告灯又はメーター又は数字が表示されなくなったときに、第１電気光学パネルの警告灯又はメーター又は数字に対応する画像を第２表示ドライバーが第２電気光学パネルに表示させることができる。
【０１１３】
また本実施形態では、第１電気光学パネルは、第１電気光学パネルの表示物に対応した表示用セグメント電極と、表示用セグメント電極と第１表示ドライバーとを接続する第１セグメント信号線と、表示用セグメント電極と第２表示ドライバーとを接続する第２セグメント信号線と、を含んでもよい。
【０１１４】
このようにすれば、第２表示ドライバーが第２セグメント信号線を介して表示用セグメント電極に駆動電圧を出力することが、可能となる。
【０１１５】
また本実施形態では、第２表示ドライバーは、第１電気光学パネルの表示異常が検出された場合に、第２セグメント信号線を介して表示用セグメント電極を駆動してもよい。
【０１１６】
このようにすれば、第１電気光学パネルの表示異常が検出されていない場合には、第１表示ドライバーが第１セグメント信号線を介して表示用セグメント電極に駆動電圧を出力し、第１電気光学パネルの表示異常が検出された場合には、第２表示ドライバーが、第２セグメント信号線を介して表示用セグメント電極を駆動できる。
【０１１７】
また本実施形態では、表示物は、アイコンであってもよい。
【０１１８】
このようにすれば、第１電気光学パネルの表示異常が検出されていない場合には、第１表示ドライバーが第１電気光学パネルのアイコンを表示させ、第１電気光学パネルの表示異常が検出された場合には、第２表示ドライバーが、第１電気光学パネルのアイコンを表示させることができる。
【０１１９】
また本実施形態では、表示物は、警告灯又はメーター又は数字であってもよい。
【０１２０】
このようにすれば、第１電気光学パネルの表示異常が検出されていない場合には、第１表示ドライバーが第１電気光学パネルの警告灯又はメーター又は数字を表示させ、第１電気光学パネルの表示異常が検出された場合には、第２表示ドライバーが、第１電気光学パネルの警告灯又はメーター又は数字を表示させることができる。
【０１２１】
また本実施形態では、電気光学装置は、第１表示ドライバー及び第２表示ドライバーに接続される回路基板を含んでもよい。回路基板は、第１電気光学パネルにおいてセグメント電極に接続されるセグメント信号線と、第２表示ドライバーとを接続する信号線を含んでもよい。
【０１２２】
このようにすれば、回路基板に設けられた信号線を介して、第１電気光学パネルにおいてセグメント電極に接続されるセグメント信号線と、第２表示ドライバーとを接続できる。これにより、第２表示ドライバーがセグメント電極に駆動電圧を出力できるようになる。
【０１２３】
また本実施形態では、表示制御システムは、上記のいずれかに記載された電気光学装置と、表示コントローラーと、を含んでもよい。表示コントローラーは、第１表示ドライバーと通信を行う第１インターフェース回路と、第２表示ドライバーと通信を行う第２インターフェース回路と、を有してもよい。
【０１２４】
このようにすれば、表示コントローラーが第１インターフェース回路を介して第１表示ドライバーを制御すると共に、第２インターフェース回路を介して第２表示ドライバーを制御できる。これにより、セグメント型の第１電気光学パネルとマトリックス型の第２電気光学パネルを組み合わせた電気光学装置を、表示コントローラーが制御できる。
【０１２５】
また本実施形態では、表示ドライバーは、セグメント型の第１電気光学パネルに接続される第１駆動端子群と、第１駆動端子群を介して第１電気光学パネルを駆動する第１駆動回路と、マトリックス型の第２電気光学パネルに接続される第２駆動端子群と、第２駆動端子群を介して第２電気光学パネルを駆動する第２駆動回路と、を含んでもよい。
【０１２６】
このようにすれば、第２駆動端子群を介してマトリックス型の第２電気光学パネルを駆動する表示ドライバーが、第１駆動端子群を介して、セグメント型の第１電気光学パネルに設けられたセグメント電極に駆動電圧を出力できる。
【０１２７】
また本実施形態では、第１電気光学パネルは、第１電気光学パネルの平面視において第２電気光学パネルに重なる透過制御用セグメント電極を有してもよい。第１駆動回路は、透過制御用セグメント電極に駆動電圧を出力することで、第２電気光学パネルの表示画像が第１電気光学パネルを透過する際の透過率を制御してもよい。
【０１２８】
このようにすれば、第１電気光学パネルの表示異常が発生した場合であっても、第２駆動回路が透過制御用セグメント電極に駆動電圧を出力できるため、第２電気光学パネルの表示画像が透過制御用セグメント電極を透過して視認可能になる。
【０１２９】
また本実施形態では、第１電気光学パネルは、第１電気光学パネルの表示物に対応した表示用セグメント電極を有してもよい。第２駆動回路は、第１電気光学パネルの表示異常が検出された場合に、表示物に対応する画像を第２電気光学パネルに表示させてもよい。
【０１３０】
このようにすれば、第１電気光学パネルの表示異常が発生したことで第１電気光学パネルの表示物が表示されなくなったときに、第１電気光学パネルの表示物に対応する画像を第２駆動回路が第２電気光学パネルに表示させることができる。
【０１３１】
また本実施形態の電子機器は、上記のいずれかに記載された電気光学装置を含む。
【０１３２】
また本実施形態の移動体は、上記のいずれかに記載された電気光学装置を含む。
【０１３３】
なお、上記のように本実施形態について詳細に説明したが、本開示の新規事項および効果から実体的に逸脱しない多くの変形が可能であることは当業者には容易に理解できるであろう。従って、このような変形例はすべて本開示の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本開示の範囲に含まれる。また第１電気光学パネル、第１表示ドライバー、第２電気光学パネル、第２表示ドライバー、電気光学装置、表示コントローラー、表示制御システム、電子機器及び移動体の構成及び動作等も、本実施形態で説明したものに限定されず、種々の変形実施が可能である。
【符号の説明】
【０１３４】
１０１…第１表示ドライバー、１０２…第２表示ドライバー、１２０…制御回路、１２５…インターフェース回路、１３０…データ記憶部、１５０…セグメント駆動回路、１５１…セグメント信号出力回路、１５２…極性反転回路、１５３…ラッチ回路、１５５…出力回路、１５６…第１レベルシフター、１５７…バッファー回路、１６０…セグメント異常検出回路、１６１…第２レベルシフター、１６２…第３レベルシフター、１６３…排他的論理和回路、１６４…論理和回路、１７１…インターフェース回路、１７２…インターフェース回路、１７３…駆動電圧生成回路、１７４…制御回路、１７５…階調電圧生成回路、１７６…データ線ドライバー、１７８…走査線ドライバー、１７９…出力回路、１８１…第１駆動回路、１８２…第２駆動回路、１９１…レジスター、１９２…Ｄ／Ａ変換回路、１９３…ボルテージフォロア回路、２０１…第１電気光学パネル、２０２…第２電気光学パネル、２０６…自動車、３００…電気光学装置、３０１…第１パネルモジュール、３０２…第２パネルモジュール、３０３…回路基板、３２０…記憶部、３３０…操作部、３４０…通信部、４００…処理装置、４１０…表示コントローラー、４１１〜４１３…第１〜第３インターフェース回路、４１５…処理回路、４１７…画像メモリー、４１８…レジスター、４３０…パネル表示制御部、４４０…画像処理部、４５０…重要情報表示制御部、４９０…表示制御システム、５１０…制御装置、６００…電子機器、ＣＮＣ１…第１コネクター、ＣＮＣ２…第２コネクター、ＥＳＤ１，ＥＳＤ２…表示用セグメント電極、ＥＳＨＴ…透過制御用セグメント電極、ＦＣ１…第１フレキシブル基板、ＦＣ２…第２フレキシブル基板、ＬＳ１，ＬＳ２，ＬＳＤ１〜ＬＳＤ４…セグメント信号線、ＬＳＨＴ，ＬＳＨＴ１，ＬＳＨＴ２…透過制御用セグメント信号線、ＴＧＲＡ〜ＴＧＲＣ…駆動端子群
【図１】
2020118924.tif 000003
【図２】
2020118924.tif 000004
【図３】
2020118924.tif 000005
【図４】
2020118924.tif 000006
【図５】
2020118924.tif 000007
【図６】
2020118924.tif 000008
【図７】
2020118924.tif 000009
【図８】
2020118924.tif 000010
【図９】
2020118924.tif 000011
【図１０】
2020118924.tif 000012
【図１１】
2020118924.tif 000013
【図１２】
2020118924.tif 000014
【図１３】
2020118924.tif 000015